(57)【要約】【課題】四方弁に対する粉塵の固着を防止して、四方弁の円滑な切換操作を常に確保できる吸引車の提供を目的としている。【解決手段】本発明の吸引車１は、ホッパ２と、ホッパ２内から流れる汚れた空気を清浄化する集塵器１２と、ホッパ２内を真空状態に設定するブロワ１０と、ブロワ１０を通って流れる空気の除塵および消音を行なう水タンクとしてのサイレンサ１４と、サイレンサ１４に接続され、サイレンサ１４内に導入された空気を外部に排気するための排気管３４と、集塵器１２とブロワ１０との間およびサイレンサ１４と排気管３４との間に共通に介在し、弁体４０ｂが弁ハウジング４０ａの内面と摺接しながら回転することで４つの流路を切換える四方弁４０と、四方弁４０の摺動面に付着した付着物を洗浄するための洗浄手段５２とを備えている。【選択図】　　図２
2004033859.tif 000002
【特許請求の範囲】
【請求項１】
回収対象物を吸引回収するために車体に搭載されたホッパと、
前記ホッパ内から流れる汚れた空気を清浄化する集塵器と、
前記ホッパ内を真空状態に設定するブロワと、
前記ブロワを通って流れる空気の除塵および消音を行なう水タンクとしてのサイレンサと、
前記サイレンサに接続され、サイレンサ内に導入された空気を外部に排気するための排気管と、
前記集塵器と前記ブロワとの間および前記サイレンサと前記排気管との間に共通に介在し、弁体が弁ハウジングの内面と摺接しながら回転することで４つの流路を切換える四方弁と、
前記四方弁の摺動面に付着した付着物を洗浄するための洗浄手段と、
を備えていることを特徴とする吸引車。
【請求項２】
前記洗浄手段は、前記サイレンサ内の水を洗浄水として前記四方弁と前記サイクロン集塵器との間の流路に流す洗浄用管路を備えていることを特徴とする請求項１に記載の吸引車。
【発明の詳細な説明】
【０００１】
【発明の属する技術分野】
本発明は、汚泥、土砂、廃液等の産業廃棄物やその他の回収対象物を吸引回収する吸引車に関する。
【０００２】
【従来の技術】
一般に、吸引車は、汚泥、土砂、廃液等の産業廃棄物やその他の回収対象物を吸引回収するためのホッパおよび吸引機構が走行車体上に搭載されて成る。図３には、従来の吸引車における吸引回収機構の一例が概略的に示されている。図示のように、汚泥等の産業廃棄物を回収するためのホッパ（タンク）１０２にはサイクロン集塵器１０４が接続されている。また、このサイクロン集塵器１０４には、四方弁１０８を介して、ホッパ１０２内を真空状態に設定する例えばルーツブロワ方式の真空ポンプ（以下、ブロワという）１１０が接続されている。更に、ブロワ１１０の下流側には、ブロワ１１０を通って流れる空気の除塵および消音を行なう消音水槽（サイレンサ）１１４が設けられており、この水槽１１４は、四方弁１０８を介して、排気管１２０に接続されている。
【０００３】
四方弁１０８は、サイクロン集塵器１０４とブロワ１１０との間および水槽１１４と排気管１２０との間に共通に介在しており、弁体が弁ハウジングの内面と摺接しながら回転して４つの流路を切換える摺動弁である。具体的には、四方弁１０８は、ブロワ１１０の吸引力をホッパ１０２に作用させる吸引位置（図中の実線の位置）と、ブロワ１１０の吸引力を排気管１２０を通じて外気に作用させる排出位置（図中の一点鎖線の位置）と、中立位置（図中の破線の位置）とに切換えられるようになっている。
【０００４】
したがって、このような構成では、四方弁１０８を吸引位置（図中の実線の位置）に切換えた状態で、ブロワ１１０を駆動させると、ブロワ１１０の吸引力がホッパ１０２に作用し、ホッパ１０２に設けられた吸引管１００を通じて回収対象物を吸引することができる。吸引管１００から吸入された回収対象物のうち、比重が大きい固形物等の大部分（水あるいは湿潤物ではそのほぼ１００％）は、ホッパ１０２もしくはサイクロン集塵器１０４に貯留される。具体的には、比重が大きい固形物等がホッパ１０２内に貯留され、乾いた比重が小さい回収物であってホッパ１０２での補足が不可能であった粉塵等がサイクロン集塵器１０４によって捕捉される。その後、サイクロン集塵器１０４で除塵された空気は、ブロワ１１０の吸引力によりこのブロワ１１０内に導入された後、サイレンサ１１４で少量の極微粉塵が捕捉され、サイレンサ１１４の水槽により消音された状態の清浄な空気として排気管１２０から排気される。なお、図３には、吸引動作時の空気の流れ方向が矢印で示されている。
【０００５】
一方、四方弁１０８を排出位置（図中の一点鎖線の位置）に切換えた状態で、ブロワ１１０を駆動させると、排気管１２０を通じて外気がブロワ１１０内に吸引される。そして、この吸い込まれた外気は、水槽１１４およびサイクロン集塵器１０４を通じてホッパ１０２内へと送り込まれ、ホッパ１０２内に溜まった不要な汚水をホッパ１０２から排出させることができる。
【０００６】
【発明が解決しようとする課題】
ところで、吸引動作時、サイクロン集塵器１０４を通ってブロワ１１０へと流れる空気中には、微量の粉塵が含まれている。このような微量の粉塵は、前述したように、四方弁１０８を通って、サイレンサ１１４で捕捉されるが、特に粉物類を吸引するような場合には、サイクロン集塵器１０４で回収しきれなかった粉塵が四方弁１０８の摺動面（弁体と弁ハウジングの内面との間の摺接部位）に付着し、四方弁１０８の弁切換動作が円滑に行なえなくなるといった不具合が発生する場合がある。特に、粉塵が四方弁１０８の摺動部に付着して固まってしまうと、四方弁１０８の切換操作が重くなり、最悪の場合、弁切換操作が不能となる場合も有り得る。
【０００７】
本発明は前記事情に着目してなされたものであり、その目的とするところは、四方弁に対する粉塵の固着を防止して、四方弁の円滑な切換操作を常に確保できる吸引車を提供することにある。
【０００８】
【課題を解決するための手段】
前記課題を解決するために、本発明の吸引車は、回収対象物を吸引回収するために車体に搭載されたホッパと、前記ホッパ内から流れる汚れた空気を清浄化する集塵器と、前記ホッパ内を真空状態に設定するブロワと、前記ブロワを通って流れる空気の除塵および消音を行なう水タンクとしてのサイレンサと、前記サイレンサに接続され、サイレンサ内に導入された空気を外部に排気するための排気管と、前記集塵器と前記ブロワとの間および前記サイレンサと前記排気管との間に共通に介在し、弁体が弁ハウジングの内面と摺接しながら回転することで４つの流路を切換える四方弁と、前記四方弁の摺動面に付着した付着物を洗浄するための洗浄手段とを備えていることを特徴とする。この場合、前記洗浄手段は、前記サイレンサ内の水を洗浄水として前記四方弁と前記サイクロン集塵器との間の流路に流す洗浄用管路を備えていることが好ましい。
【０００９】
【発明の実施の形態】
以下、図面を参照しながら本発明の一実施形態について説明する。
【００１０】
図１は本発明の一実施形態に係る吸引車１を示している。図示のように、吸引車１は、走行車体１７の後部に配置され且つ汚泥等の産業廃棄物を回収するためのホッパ（タンク）２を有している。キャブ（運転室）２２の後側には、ホッパ２との間に、吸引機構５０が設けられている。図２にも示されるように、吸引機構５０は、ホッパ２内から流れる汚れた空気を清浄化するサイクロン集塵器１２と、ホッパ２内を真空状態に設定する真空ポンプからなるブロワ（例えばルーツブロワ）１０と、ブロワ１０を通って流れる空気の除塵および消音を行なう消音水槽（サイレンサ）１４とを備えている。サイレンサ１４の上部には排気管３４が接続されている。また、サイクロン集塵器１２は、走行車体１７の幅方向に沿うホッパ２の一側方で、ホッパ２に隣接して配置されている。
【００１１】
ホッパ２の天井部には第１の吸気管２９の一端が接続されており、第１の吸気管２９の他端はサイクロン集塵器１２に接続されている。また、サイクロン集塵器１２は、第２の吸気管３０を介して、ブロワ１０の吸気口１０ａに接続されている。更に、サイレンサ１４は、接続管３２を介して、ブロワ１０の吐出口１０ｂに接続されている。
【００１２】
ホッパ２の後部ハッチ（後部開口）には、ここを開閉可能に閉じるドア部６が設けられている。ドア部６は、旋回軸２３を中心として旋回可能にホッパ２の後部ハッチに取り付けられている。具体的には、ホッパ２の後部ハッチ近傍に固定支持された旋回軸２３に対して、ドア部６の上部に固着されたブラケット２４が回動可能に取り付けられている。
【００１３】
ドア部６の両側部に固着されたブラケット２１，２１には、ホッパ２の左右側壁に固定されたドア開閉用の油圧シリンダ２０，２０のロッド部がそれぞれ固定されている。したがって、ドア開閉シリンダ２０，２０のロッド部を伸縮させれば、ドア部６を旋回軸２３を中心に旋回させることができる。
【００１４】
ドア部６の下部中央には吸引管６０が設けられている。この吸引管６０は、ドア部６を貫通して延びており、その一端側がホッパ２内に向けて突出し、外部に突出するその他端側の端部に開閉バルブを有している。この場合、ホッパ２内に突出する吸引管６０の一端側は、吸引力を強力に得て且つホッパ２内の堆積物によって吸引が妨げられないように、ホッパ２の上方まで延びている。なお、吸引車１の側部には、吸引機構５０等の動作を制御するための各種の操作スイッチが設置された操作パネル７０が設けられている。
【００１５】
図２に明確に示されるように、第２の吸引管３０の途中および排気管３４の途中には、これらに共通の四方弁４０が介挿されている。四方弁４０は、４つのポートを有する弁ハウジング４０ａと、弁ハウジング４０ａ内で１つの軸を中心に回転可能な弁体４０ｂとから成る。また、四方弁４０の各ポートにはそれぞれ、サイレンサ１４に接続された排気管３４の第１の管部３４ａと、外気に向けて開口する排気管３４の第２の管部３４ｂと、サイクロン集塵器１２に接続された第２の吸引管３０の第１の管部３０ａと、ブロワ１０に接続された第２の吸引管３０の第２の管部３０ｂとが接続されている。そして、四方弁４０は、弁体４０ｂが弁ハウジング４０ａの内面と摺接しながら回転することにより、これら４つの管部３０ａ，３０ｂ，３４ａ，３４ｂを通じたエアーの流れを切換える。具体的には、四方弁４０は、ブロワ１０の吸引力をホッパ２に作用させる吸引位置（図中の実線の位置）と、ブロワ１０の吸引力を排気管３４を通じて外気に作用させる排出位置（図中の一点鎖線の位置）と、中立位置（図中の破線の位置）とに切換えられるようになっている。
【００１６】
また、本実施形態における吸引機構５０には、四方弁４０の摺動面（弁体４０ｂと弁ハウジング４０ａの内面との間の摺接部位）に付着した粉塵等を洗浄するための洗浄手段が設けられている。具体的には、この洗浄手段は、サイレンサ１４と第２の吸引管３０の第１の管部３０ａとを接続し且つサイレンサ１４内の水を洗浄水として四方弁４０とサイクロン集塵器１２との間の流路に流す洗浄用管路５２と、洗浄用管路５２の途中に介挿され且つ洗浄用管路５２を通じて第１の管部３０ａに供給される洗浄水の流量を調整するための調整弁５６と、洗浄用管路５２の途中に介挿され且つサイレンサ１４からの水を濾過するフィルタ５４とを備えている。また、オペレータが調整弁５６を容易に操作することができるように、調整弁５６の弁開度を制御するための操作部が操作パネル７０（図１参照）上に設けられている。
【００１７】
次に、上記構成の吸引車１の作用について説明する。
【００１８】
まず、四方弁４０を吸引位置（図中の実線の位置）に切換えた状態で、ブロワ１０を駆動させると、ブロワ１０の吸引力がホッパ２に作用し、ホッパ２に設けられた吸引管６０を通じて回収対象物を吸引することができる。吸引管６０から吸入された回収対象物のうち、比重が大きい固形物等の大部分（水あるいは湿潤物ではそのほぼ１００％）は、ホッパ２もしくはサイクロン集塵器１２に貯留される。具体的には、比重が大きい固形物等がホッパ２内に貯留され、乾いた比重が小さい回収物であってホッパ２での補足が不可能であった粉塵等がサイクロン集塵器１２によって捕捉される。その後、サイクロン集塵器１２で除塵された空気は、ブロワ１０の吸引力によりこのブロワ１０内に導入された後、サイレンサ１４で少量の極微粉塵が捕捉され、サイレンサ１４の水槽により消音された状態の清浄な空気として排気管３４から排気される。なお、図２には、吸引動作時の空気の流れ方向が矢印で示されている。
【００１９】
また、このような吸引動作時においては、ブロワ１０の吸引力（吸引力によって形成される管路内の負圧作用）により、サイレンサ１４内の水が、洗浄用管路５２を通じて吸引され、調整弁５６の開度に応じた流量で、第２の吸引管３０の第１の管部３０ａ内に導入される。そして、第１の管部３０ａ内に導入された洗浄水は、ブロワ１０の吸引作用により霧状となって四方弁４０へと流れ（その流れ方向が図中に破線の矢印で示されている）、四方弁４０の摺動面（弁体４０ｂと弁ハウジング４０ａの内面との間の摺接部位）を洗浄しながら再びサイレンサ１４内へと戻される。なお、四方弁４０の摺動面に粉塵等が付着している場合、その粉塵等は、前記洗浄水によって洗い流された後、ブロワ１０を通って、サイレンサ１４内へと移動される。
【００２０】
一方、四方弁４０を排出位置（図中の一点鎖線の位置）に切換えた状態で、ブロワ１０を駆動させると、排気管３４を通じて外気がブロワ１０内に吸引される。そして、この吸い込まれた外気は、サイレンサ１４およびサイクロン集塵器１２を通じてホッパ２内へと送り込まれ、ホッパ２内に溜まった不要な汚水をホッパ２から排出させることができる。
【００２１】
以上説明したように、本実施形態の吸引車１は、四方弁４０の摺動面に付着した付着物を洗浄するための洗浄手段を備えている。したがって、サイクロン集塵器１２で回収しきれなかった粉塵が四方弁４０の摺動面に付着しても、これを前記洗浄手段によって容易に除去することができるため、四方弁４０に対する粉塵の固着を防止して、四方弁４０の円滑な切換操作を常に確保することができる。
【００２２】
特に、本実施形態において、前記洗浄手段は、サイレンサ１４内の水を洗浄水として四方弁４０とサイクロン集塵器１２との間の流路に流す洗浄用管路５２を備え、既存のサイレンサ１４およびサイレンサ１４内の水を有効利用しているため、洗浄手段の付加に伴う設置スペースの増大を大幅に抑えることができるとともに、四方弁４０へと供給した洗浄水を再びサイレンサ１４に戻す水循環を実現して、常に一定量の洗浄水を確保しているため、洗浄水の補給が不要となり、ランニングコストを大幅に節約できる。
【００２３】
なお、本発明は、前述した実施形態に限定されるものではなく、その要旨を逸脱しない範囲で種々変形実施できることは言うまでもない。例えば、前述した実施形態では、四方弁４０とサイクロン集塵器１２との間にある第２の吸引管路３０の第１の管路３０ａに洗浄用管路５２を接続し、第１の管路３０ａを通じて洗浄水を四方弁４０へと流すようにしているが、四方弁４０自体に洗浄用管路５２を接続し、洗浄用管路５２から四方弁４０に対して直接に洗浄水を供給しても良い。また、第１の管路３０ａに対する洗浄用管路５２の開口方向（洗浄水の導入方向）は、図２に示されるような方向に限らず、任意の方向に設定することができる。また、サイレンサ１４とは別個の水タンクを設け、この水タンクから洗浄用管路５２を通じて四方弁４０に洗浄水を供給しても良い。
【００２４】
【発明の効果】
以上説明したように、本発明の吸引車によれば、四方弁に対する粉塵の固着を防止して、四方弁の円滑な切換操作を常に確保できる。
【図面の簡単な説明】
【図１】（ａ）は本発明の一実施形態に係る吸引車の平面図、（ｂ）は（ａ）の吸引車の側面図、（ｃ）は（ａ）の吸引車の背面図である。
【図２】図１の吸引車における吸引回収機構の概略構成図である。
【図３】従来の吸引車における吸引回収機構の一例を示す概略構成図である。
【符号の説明】
１…吸引車
２…ホッパ
１０…ブロワ
１２…集塵器
１４…サイレンサ
３４…排気管
４０…四方弁
４０ａ…弁ハウジング
４０ｂ…弁体
５２…洗浄用管路
【図１】
2004033859.tif 000003
【図２】
2004033859.tif 000004
【図３】
2004033859.tif 000005